【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
マルチキャリアワイヤレスデバイスにおける利得を制御するための方法であって、前記方法は、
前記ワイヤレスデバイスが、同じ無線周波数帯域中の少なくとも２つのアグリゲートコンポーネントキャリア（ＣＣ）のための受信信号品質の指示を推定または測定することと、前記少なくとも２つのアグリゲートＣＣが、１次コンポーネントキャリア（ＰＣＣ）と１つまたは複数の２次コンポーネントキャリア（ＳＣＣ）とを備える、
前記ＰＣＣの受信信号品質の指示に基づいて、前記ＰＣＣの信号品質を指示する１次推定値を単独で判断することと、
１つまたは複数のＳＣＣの受信信号品質の指示に基づいて、前記１つまたは複数のＳＣＣの信号品質を指示する２次推定値を判断することと、
前記１次推定値が前記２次推定値よりも大きいか、またはそれとほぼ同じであるとき、第１の機能を使用して前記少なくとも２つのアグリゲートＣＣのための共通利得を判断することと、
前記１次推定値が前記２次推定値よりよりも小さいとき、第２の機能を使用して前記少なくとも２つのアグリゲートＣＣのための前記共通利得を判断することと、ここにおいて、前記第２の機能が、ＰＣＣ受信信号電力と、前記ＳＣＣのうちの１つまたは複数のものの信号電力との線形結合を備える、
調整された受信信号を取得するために前記共通利得を前記少なくとも２つのアグリゲートＣＣの受信信号に適用することと
を備える、方法。
【請求項２】
受信信号品質のそれぞれの指示が、電力、信号レベル、またはエラーレートのうちの１つである、請求項１に記載の方法。
【請求項３】
前記１次推定値が前記２次推定値のある所定の許容差内にあるとき、前記１次推定値が前記２次推定値とほぼ同じである、請求項１に記載の方法。
【請求項４】
前記所定の許容差が、エラーレート基準に基づいて判断される、請求項３に記載の方法。
【請求項５】
前記第１の機能が前記ＰＣＣの１つまたは複数の受信信号特性のみを使用する、請求項１に記載の方法。
【請求項６】
同じ無線周波数帯域中の少なくとも２つのアグリゲートコンポーネントキャリア（ＣＣ）のための受信信号品質の指示を推定または測定するための手段と、前記少なくとも２つのアグリゲートＣＣが、１次コンポーネントキャリア（ＰＣＣ）と１つまたは複数の２次コンポーネントキャリア（ＳＣＣ）とを備える、
前記ＰＣＣの受信信号品質の指示に基づいて、前記ＰＣＣの信号品質を指示する１次推定値を単独で判断するための手段と、
１つまたは複数のＳＣＣの受信信号品質の指示に基づいて、前記１つまたは複数のＳＣＣの信号品質を指示する２次推定値を判断するための手段と、
前記１次推定値が前記２次推定値よりも大きいか、またはそれとほぼ同じであるとき、第１の機能を使用して前記少なくとも２つのアグリゲートＣＣのための共通利得を判断するための手段と、
前記１次推定値が前記２次推定値よりよりも小さいとき、第２の機能を使用して前記少なくとも２つのアグリゲートＣＣのための前記共通利得を判断するための手段と、ここにおいて、前記第２の機能が、ＰＣＣ受信信号電力と、前記ＳＣＣのうちの１つまたは複数のものの信号電力との線形結合を備える、
調整された受信信号を取得するために前記共通利得を前記少なくとも２つのアグリゲートＣＣの受信信号に適用するための手段と
を備えるワイヤレス通信装置。
【請求項７】
受信信号品質のそれぞれの指示が、電力、信号レベル、またはエラーレートのうちの１つである、請求項６に記載のワイヤレス通信装置。
【請求項８】
前記１次推定値が前記２次推定値のある所定の許容差内にあるとき、前記１次推定値が前記２次推定値とほぼ同じである、請求項６に記載のワイヤレス通信装置。
【請求項９】
前記所定の許容差が、エラーレート基準に基づいて判断される、請求項８に記載のワイヤレス通信装置。
【請求項１０】
前記第１の機能が前記ＰＣＣの１つまたは複数の受信信号特性のみを使用する、請求項６に記載のワイヤレス通信装置。
【請求項１１】
推定または測定によって、同じ無線周波数帯域中の少なくとも２つのアグリゲートコンポーネントキャリア（ＣＣ）のための受信信号品質の指示を取得することと、前記少なくとも２つのアグリゲートＣＣが、１次コンポーネントキャリア（ＰＣＣ）と１つまたは複数の２次コンポーネントキャリア（ＳＣＣ）とを備える、
前記ＰＣＣの受信信号品質の指示に基づいて、前記ＰＣＣの信号品質を指示する１次推定値を単独で判断することと、
１つまたは複数のＳＣＣの受信信号品質の指示に基づいて、前記１つまたは複数のＳＣＣの信号品質を指示する２次推定値を判断することと、
前記１次推定値が前記２次推定値よりも大きいか、またはそれとほぼ同じであるとき、第１の機能を使用して前記少なくとも２つのＣＣのための共通利得を判断することと、
前記１次推定値が前記２次推定値よりよりも小さいとき、第２の機能を使用して前記少なくとも２つのアグリゲートＣＣのための前記共通利得を判断することと、ここにおいて、前記第２の機能が、ＰＣＣ受信信号電力と、前記ＳＣＣのうちの１つまたは複数のものの信号電力との線形結合を備える、
調整された受信信号を取得するために前記共通利得を前記少なくとも２つのアグリゲートＣＣの受信信号に適用させることと
を少なくとも１つのコンピュータに行わせるためのコードを含む、非一時的コンピュータ可読媒体。
【請求項１２】
受信信号品質のそれぞれの指示が、電力、信号レベル、またはエラーレートのうちの１つである、請求項１１に記載の非一時的コンピュータ可読媒体。
【請求項１３】
前記１次推定値が前記２次推定値のある所定の許容差内にあるとき、前記１次推定値が前記２次推定値とほぼ同じである、請求項１１に記載の非一時的コンピュータ可読媒体。
【請求項１４】
前記所定の許容差が、エラーレート基準に基づいて判断される、請求項１３に記載の非一時的コンピュータ可読媒体。
【請求項１５】
前記第１の機能が前記ＰＣＣの１つまたは複数の受信信号特性のみを使用する、請求項１１に記載の非一時的コンピュータ可読媒体。
【請求項１６】
少なくとも２つのアグリゲートコンポーネントキャリア（ＣＣ）を含んでいる周波数帯域を含む信号を受信するように構成された少なくとも１つのアンテナと、前記少なくとも２つのアグリゲートＣＣが、１次コンポーネントキャリア（ＰＣＣ）と１つまたは複数の２次コンポーネントキャリア（ＳＣＣ）とを備える、
前記少なくとも１つのアンテナに結合され、前記周波数帯域中の前記アグリゲートＣＣに共通利得を適用するように構成された可変利得増幅器と、
前記ＰＣＣの受信信号品質の指示に基づいて、前記ＰＣＣの信号品質を指示する１次推定値を単独で判断し、
１つまたは複数のＳＣＣの受信信号品質の指示に基づいて、前記１つまたは複数のＳＣＣの信号品質を指示する２次推定値を判断する
ように構成された受信信号品質評価器と、
前記可変利得増幅器に結合され、
前記１次推定値と前記２次推定値とを比較し、
前記１次推定値が前記２次推定値よりも大きいか、またはそれとほぼ同じであるとき、第１の機能を使用して前記共通利得を計算し、
前記１次推定値が前記２次推定値よりよりも小さいとき、第２の機能を使用して前記共通利得を判断する
ように構成された利得制御モジュールと
を備え、
ここにおいて、前記第２の機能が、ＰＣＣ受信信号電力と、前記ＳＣＣのうちの１つまたは複数のものの信号電力との線形結合を備える、ワイヤレス通信装置。
【請求項１７】
受信信号品質のそれぞれの指示が、電力、信号レベル、またはエラーレートのうちの１つである、請求項１６に記載のワイヤレス通信装置。
【請求項１８】
前記１次推定値が前記２次推定値のある所定の許容差内にあるとき、前記１次推定値が前記２次推定値とほぼ同じである、請求項１６に記載のワイヤレス通信装置。
【請求項１９】
前記所定の許容差が、エラーレート基準に基づいて判断される、請求項１８に記載のワイヤレス通信装置。
【請求項２０】
前記第１の機能が前記ＰＣＣの１つまたは複数の受信信号特性のみを使用する、請求項１６に記載のワイヤレス通信装置。
【請求項２１】
前記利得制御モジュールが、
前記利得制御モジュールの１つまたは複数の機能、あるいは前記受信信号品質評価器の１つまたは複数の機能、あるいは前記利得制御モジュールと前記受信信号品質評価器の両方の１つまたは複数の機能を実行するように構成された少なくとも１つのプロセッサと、
前記少なくとも１つのプロセッサに結合されたメモリと
を備える、請求項１６に記載のワイヤレス通信装置。
【手続補正２】
【補正対象書類名】明細書
【補正対象項目名】００６７
【補正方法】変更
【補正の内容】
【００６７】
[0075]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
マルチキャリアワイヤレスデバイスにおける利得を制御するための方法であって、前記方法は、
前記ワイヤレスデバイスが、同じ無線周波数帯域中の少なくとも２つのアグリゲートコンポーネントキャリア（ＣＣ）のための受信信号品質の指示を推定または測定することと、前記少なくとも２つのＣＣが、１次コンポーネントキャリア（ＰＣＣ）と１つまたは複数の２次コンポーネントキャリア（ＳＣＣ）とを備える、
少なくとも前記ＰＣＣを含む１つまたは複数のＣＣの第１のセットの受信信号品質の前記指示が、１つまたは複数のＳＣＣのみを含む１つまたは複数のＣＣの第２のセットの受信信号品質の前記指示よりも良いか、またはそれとほぼ同じであるときは第１の機能を使用して、１つまたは複数のＣＣの前記第１のセットの受信信号品質の前記指示が１つまたは複数のＣＣの前記第２のセットの受信信号品質の前記指示よりも悪いときは第２の機能を使用して、前記少なくとも２つのＣＣのための共通利得を判断することと、
調整された受信信号を取得するために前記共通利得を前記少なくとも２つのＣＣの受信信号に適用することと
を備える、方法。
［Ｃ２］
１つまたは複数のＣＣの前記第１のセットが前記ＰＣＣのみを含んでいる、Ｃ１に記載の方法。
［Ｃ３］
１つまたは複数のＣＣの前記第１のセットが、前記ＰＣＣと少なくとも１つのＳＣＣとを含んでいる、Ｃ１に記載の方法。
［Ｃ４］
受信信号品質のそれぞれの指示が、電力、信号レベル、またはエラーレートのうちの１つである、Ｃ１に記載の方法。
［Ｃ５］
ＣＣの前記第１のセットの受信信号品質の前記指示がＣＣの前記第２のセットの受信信号品質の前記指示のある所定の許容差内にあるとき、ＣＣの前記第１のセットの受信信号品質の前記指示がＣＣの前記第２のセットの受信信号品質の前記指示とほぼ同じである、Ｃ１に記載の方法。
［Ｃ６］
前記所定の許容差が、エラーレート基準に基づいて判断される、Ｃ５に記載の方法。
［Ｃ７］
前記第１の機能が前記ＰＣＣの１つまたは複数の受信信号特性のみを使用し、前記第２の機能が、前記ＰＣＣに関連する受信信号特性と、前記ＳＣＣのうちの少なくとも１つに関連する受信信号特性との線形結合を備える、Ｃ１に記載の方法。
［Ｃ８］
前記第２の機能が、ＰＣＣ受信信号電力と、前記ＳＣＣのうちの１つまたは複数のものの信号電力との線形結合を備える、Ｃ７に記載の方法。
［Ｃ９］
同じ無線周波数帯域中の少なくとも２つのアグリゲートコンポーネントキャリア（ＣＣ）のための受信信号品質の指示を推定または測定するための手段と、前記少なくとも２つのＣＣが、１次コンポーネントキャリア（ＰＣＣ）と１つまたは複数の２次コンポーネントキャリア（ＳＣＣ）とを備える、
少なくとも前記ＰＣＣを含む１つまたは複数のＣＣの第１のセットの受信信号品質の前記指示が、１つまたは複数のＳＣＣのみを含む１つまたは複数のＣＣの第２のセットの受信信号品質の前記指示よりも良いか、またはそれとほぼ同じであるときは第１の機能を使用して、１つまたは複数のＣＣの前記第１のセットの受信信号品質の前記指示が１つまたは複数のＣＣの前記第２のセットの受信信号品質の前記指示よりも悪いときは第２の機能を使用して、前記少なくとも２つのＣＣのための共通利得を判断するための手段と、
調整された受信信号を取得するために前記共通利得を前記少なくとも２つのＣＣの受信信号に適用するための手段と
を備えるワイヤレス通信装置。
［Ｃ１０］
受信信号品質のそれぞれの指示が、電力、信号レベル、またはエラーレートのうちの１つである、Ｃ９に記載のワイヤレス通信装置。
［Ｃ１１］
ＣＣの前記第１のセットの受信信号品質の前記指示がＣＣの前記第２のセットの受信信号品質の前記指示のある所定の許容差内にあるとき、ＣＣの前記第１のセットの受信信号品質の前記指示がＣＣの前記第２のセットの受信信号品質の前記指示とほぼ同じである、Ｃ９に記載のワイヤレス通信装置。
［Ｃ１２］
前記所定の許容差が、エラーレート基準に基づいて判断される、Ｃ１１に記載のワイヤレス通信装置。
［Ｃ１３］
前記第１の機能が前記ＰＣＣの１つまたは複数の受信信号特性のみを使用し、前記第２の機能が、前記ＰＣＣに関連する受信信号特性と、前記ＳＣＣのうちの少なくとも１つに関連する受信信号特性との線形結合を備える、Ｃ９に記載のワイヤレス通信装置。
［Ｃ１４］
前記第２の機能が、ＰＣＣ受信信号電力と、前記ＳＣＣのうちの１つまたは複数のものの信号電力との線形結合を備える、Ｃ１３に記載のワイヤレス通信装置。
［Ｃ１５］
推定または測定によって、同じ無線周波数帯域中の少なくとも２つのアグリゲートコンポーネントキャリア（ＣＣ）のための受信信号品質の指示を取得することと、前記少なくとも２つのＣＣが、１次コンポーネントキャリア（ＰＣＣ）と１つまたは複数の２次コンポーネントキャリア（ＳＣＣ）とを備える、
少なくとも前記ＰＣＣを含む１つまたは複数のＣＣの第１のセットの受信信号品質の前記指示が、１つまたは複数のＳＣＣのみを含む１つまたは複数のＣＣの第２のセットの受信信号品質の前記指示よりも良いか、またはそれとほぼ同じであるときは第１の機能を使用して、１つまたは複数のＣＣの前記第１のセットの受信信号品質の前記指示が１つまたは複数のＣＣの前記第２のセットの受信信号品質の前記指示よりも悪いときは第２の機能を使用して、前記少なくとも２つのＣＣのための共通利得を判断することと、
調整された受信信号を取得するために前記共通利得を前記少なくとも２つのＣＣの受信信号に適用させることと
を少なくとも１つのコンピュータに行わせるためのコードを含むコンピュータ可読媒体を備える、コンピュータプログラム製品。
［Ｃ１６］
受信信号品質のそれぞれの指示が、電力、信号レベル、またはエラーレートのうちの１つである、Ｃ１５に記載のコンピュータプログラム製品。
［Ｃ１７］
ＣＣの前記第１のセットの受信信号品質の前記指示がＣＣの前記第２のセットの受信信号品質の前記指示のある所定の許容差内にあるとき、ＣＣの前記第１のセットの受信信号品質の前記指示がＣＣの前記第２のセットの受信信号品質の前記指示とほぼ同じである、Ｃ１５に記載のコンピュータプログラム製品。
［Ｃ１８］
前記所定の許容差が、エラーレート基準に基づいて判断される、Ｃ１７に記載のコンピュータプログラム製品。
［Ｃ１９］
前記第１の機能が前記ＰＣＣの１つまたは複数の受信信号特性のみを使用し、前記第２の機能が、前記ＰＣＣに関連する受信信号特性と、前記ＳＣＣのうちの少なくとも１つに関連する受信信号特性との線形結合を備える、Ｃ１５に記載のコンピュータプログラム製品。
［Ｃ２０］
前記第２の機能が、ＰＣＣ受信信号電力と、前記ＳＣＣのうちの１つまたは複数のものの信号電力との線形結合を備える、Ｃ１９に記載のコンピュータプログラム製品。
［Ｃ２１］
少なくとも２つのアグリゲートコンポーネントキャリア（ＣＣ）を含んでいる周波数帯域を含む信号を受信するように構成された少なくとも１つのアンテナと、前記少なくとも２つのアグリゲートＣＣが、１次コンポーネントキャリア（ＰＣＣ）と１つまたは複数の２次コンポーネントキャリア（ＳＣＣ）とを備える、
前記少なくとも１つのアンテナに結合され、前記周波数帯域中の前記アグリゲートＣＣに共通利得を適用するように構成された可変利得増幅器と、
前記可変利得増幅器に結合され、前記アグリゲートＣＣの第１のグループを表す受信信号品質の指示と前記アグリゲートＣＣの第２のグループを表す受信信号品質の指示とを比較するように構成され、前記第１のグループが、前記ＰＣＣと、前記ＳＣＣのうちの０個以上とを含み、前記第２のグループが前記ＳＣＣのうちの１つまたは複数を含み、アグリゲートＣＣの前記第１のグループの受信信号品質の前記指示が、アグリゲートＣＣの前記第２のグループの受信信号品質の前記指示よりも良いか、またはそれとほぼ同じであるときは第１の機能を使用して、アグリゲートＣＣの前記第１のグループの受信信号品質の前記指示がアグリゲートＣＣの前記第２のグループの受信信号品質の前記指示よりも悪いときは第２の機能を使用して、前記共通利得を計算するように構成された利得制御モジュールと
を備えるワイヤレス通信装置。
［Ｃ２２］
アグリゲートＣＣの前記第１および第２のグループのための受信信号品質の前記指示を測定または推定するように構成された受信信号品質評価器をさらに備える、Ｃ２１に記載のワイヤレス通信装置。
［Ｃ２３］
アグリゲートＣＣの前記第１のグループが前記ＰＣＣのみを含んでいる、Ｃ２１に記載のワイヤレス通信装置。
［Ｃ２４］
アグリゲートＣＣの前記第１のグループが、前記ＰＣＣと少なくとも１つのＳＣＣとを含んでいる、Ｃ２１に記載のワイヤレス通信装置。
［Ｃ２５］
受信信号品質のそれぞれの指示が、電力、信号レベル、またはエラーレートのうちの１つである、Ｃ２１に記載のワイヤレス通信装置。
［Ｃ２６］
アグリゲートＣＣの前記第１のグループの受信信号品質の前記指示がアグリゲートＣＣの前記第２のグループの受信信号品質の前記指示のある所定の許容差内にあるとき、アグリゲートＣＣの前記第１のグループの受信信号品質の前記指示がアグリゲートＣＣの前記第２のグループの受信信号品質の前記指示とほぼ同じである、Ｃ２１に記載のワイヤレス通信装置。
［Ｃ２７］
前記所定の許容差が、エラーレート基準に基づいて判断される、Ｃ２６に記載のワイヤレス通信装置。
［Ｃ２８］
前記第１の機能が前記ＰＣＣの１つまたは複数の受信信号特性のみを使用し、前記第２の機能が、前記ＰＣＣに関連する受信信号特性と、前記ＳＣＣのうちの少なくとも１つに関連する受信信号特性との線形結合を備える、Ｃ２１に記載のワイヤレス通信装置。
［Ｃ２９］
前記第２の機能が、ＰＣＣ受信信号電力と、前記ＳＣＣのうちの１つまたは複数のものの信号電力との線形結合を備える、Ｃ２８に記載のワイヤレス通信装置。
［Ｃ３０］
前記利得制御モジュールが、
前記利得制御モジュールの１つまたは複数の機能、あるいは前記受信信号品質評価器の１つまたは複数の機能、あるいは前記利得制御モジュールと前記受信信号品質評価器の両方の１つまたは複数の機能を実行するように構成された少なくとも１つのプロセッサと、
前記少なくとも１つのプロセッサに結合されたメモリと
を備える、Ｃ２２に記載のワイヤレス通信装置。